(57)【特許請求の範囲】
【請求項１】
チャンネル材の上向きの開口部から内部に挿入され、９０度の水平回転でリップ部相互の内側に係止する係止体が構成され、該係止体にボルトを立設保持するチャンネル材用ボルト保持具であって、
係止体は、金属板が屈曲され天板と一対の挟着板とで断面コ字状に形成され、天板にボルトを挿通する挿通孔を開穿すると共に、該挿通孔に挿通したボルトの頭部を挟着板が挟着保持して係止体にボルトを立設保持するように構成し、
天板の長手両端部を斜めに切り欠いてリップ部の相互間よりも狭い幅に形成された挿通部と、チャンネル材内部に挿入された係止体の挿通部をリップ部の相互間より上まで引き上げて係止体を９０度水平回転させたときに天板の長手両端部がリップ部上面に係止する係止部とが形成され、
挟着板の天板と挟着板との境界部分を切り欠いてリップ部上で天板を回転せしめる間隙を設けた回転溝部と、係止体を９０度回転させたときに挟着板の長手両端部がリップ部の下端に係止する係止部とが形成されたことを特徴とするチャンネル材用ボルト保持具。
【請求項２】
前記挟着板は、前記リップ部の開口幅を半径Ｒとする曲率で形成された回転端部を前記係止部の端部に沿って形成し、前記係止体に立設保持した前記ボルトを持って斜めに傾けた一方の前記係止部からチャンネル材内部に挿入するときに、他方の前記係止部の回転端部がリップ部に沿って回転しながら挿入されるように構成した請求項１記載のチャンネル材用ボルト保持具。
【請求項３】
前記挟着板は、前記ボルトにネジ止めするナットを強制的に挟着保持し、前記天板の前記挿通孔に上から挿通せしめる前記ボルトを立設状態に保持するように構成した請求項１又は２記載のチャンネル材用ボルト保持具。
【請求項４】
前記挟着板の内側面に、前記ボルトの頭部又は前記ナットに係止する一対の係止突起を形成した請求項１又は３記載のチャンネル材用ボルト保持具。
【発明の詳細な説明】
【技術分野】
【０００１】
本発明は、リップ溝形鋼にて構成されたチャンネル材の開口部に固定し、該開口部にボルトやナットを保持するのに好適なチャンネル材用ボルト保持具に関するものである。
【背景技術】
【０００２】
チャンネル材の開口部に固定する金具として、当出願人は、先に特許文献１及び特許文献２に記載等の固定金具を提案している。
【０００３】
特許文献１の固定金具は、チャンネル材の内部で水平に９０度回転させてリップ部相互の内側に係止する係止体を設けたもので、チャンネル材のリップ部外側に係止する固定体とリップ部内側の係止体とで固定するものである。そして、この固定体に設けた略帯状の弾性連結体で固定体に係止体を支持し、チャンネル材の上向きの開口部に係止体を装着し、この係止体にボルトを自立させるように構成している。
【０００４】
一方、特許文献２の固定金具は、ボルトの頭部に装着し、チャンネル材のリップ部内側に係止するボルト支持金具を設けたものである。このボルト支持金具は、挿通孔を開穿した略帯状の係止片と、この係止片の長手両端から屈曲延長され、ボルトの頭部に嵌合せしめる一対の嵌合片とで断面略コ字形状を成している。そして、チャンネル材の開口部が下向きのときに、リップ部内側にボルトを吊下げるように構成したものである。
【先行技術文献】
【特許文献】
【０００５】
【特許文献１】特開２００５−１８８７００号公報
【特許文献２】特開２００５−２４０２３号公報
【発明の概要】
【発明が解決しようとする課題】
【０００６】
ところが、特許文献１に記載の固定工具では、チャンネル材の上向きの開口部にボルトを自立させることは可能になっているが、弾性連結体を介して支持している係止体にボルトを自立させているので、ボルトを強固に自立させることは困難であった。しかも、金属製の固定体に合成樹脂製の弾性連結体を組み合せる構成を採用しているので、製造時にこれら複数の部材の組み立て工程が必要になり、生産工程が複雑化して製造コストが上がる不都合もあった。
【０００７】
一方、特許文献２に記載のボルト支持金具は、ボルトの頭部に装着することが容易になり、チャンネル材の下向きの開口部にボルトを吊下げることは可能でも、チャンネル材の上向きの開口部にボルトを自立させることは困難である。
【０００８】
そこで本発明は上述の課題を解消すべく創出されたもので、チャンネル材の上向きの開口部にボルトを強固に自立させることが可能になり、しかも、従来のような組み立て工程を必要とせず、更に、作業時の合理化を図ることができるチャンネル材用ボルト保持具の提供を目的とするものである。
【課題を解決するための手段】
【０００９】
上述の目的を達成すべく本発明における第１の手段は、チャンネル材Ｐの上向きの開口部から内部に挿入され、９０度の水平回転でリップ部Ｐ１相互の内側に係止する係止体１が構成され、該係止体１にボルト２を立設保持するチャンネル材用ボルト保持具であって、
係止体１は、金属板が屈曲され天板１０と一対の挟着板２０とで断面コ字状に形成され、天板１０にボルト２を挿通する挿通孔１１を開穿すると共に、該挿通孔１１に挿通したボルト２の頭部２Ａを挟着板２０が挟着保持して係止体１にボルト２を立設保持するように構成し、
天板１０の長手両端部を斜めに切り欠いてリップ部Ｐ１の相互間よりも狭い幅に形成された挿通部１２と、チャンネル材Ｐ内部に挿入された係止体１の挿通部１２をリップ部Ｐ１の相互間より上まで引き上げて係止体１を９０度水平回転させたときに天板１０の長手両端部がリップ部Ｐ１上面に係止する係止部１３とが形成され、
挟着板２０の天板１０と挟着板２０との境界部分を切り欠いてリップ部Ｐ１上で天板１０を回転せしめる間隙を設けた回転溝部２１と、係止体１を９０度回転させたときに挟着板２０の長手両端部がリップ部Ｐ１の下端に係止する係止部２２とが形成されたことにある。
【００１０】
第２の手段において、前記挟着板２０は、前記リップ部Ｐ１の開口幅を半径Ｒとする曲率で形成された回転端部２３を前記係止部２２の端部に沿って形成し、前記係止体１に立設保持した前記ボルト２を持って斜めに傾けた一方の前記係止部２２からチャンネル材Ｐ内部に挿入するときに、他方の前記係止部２２の回転端部２３がリップ部Ｐ１に沿って回転しながら挿入されるように構成している。
【００１１】
第３の手段の前記挟着板２０は、前記ボルト２にネジ止めするナット３を強制的に挟着保持し、前記天板１０の前記挿通孔１１に上から挿通せしめる前記ボルト２を立設状態に保持するように構成している。
【００１２】
第４の手段は、前記挟着板２０の内側面に、前記ボルト２の頭部２Ａ又は前記ナット３に係止する一対の係止突起２４を形成したものである。
【発明の効果】
【００１３】
本発明の請求項１によると、金属板が屈曲され天板１０と一対の挟着板２０とで断面コ字状を成した係止体１に、チャンネル材Ｐ内部に挿入された係止体１の挿通部１２をリップ部Ｐ１の上まで引き上げて係止体１を９０度回転させたときに、天板１０の長手両端部がリップ部Ｐ１上面に係止する係止部１３と、挟着板２０の長手両端部がリップ部Ｐ１の下端に係止する係止部２２とを形成したことにより、チャンネル材の上向きの開口部にボルトを強固に自立させることが可能になった。
【００１４】
また、従来のような組み立て工程を必要とせずに係止体１が構成されるので、生産工程を簡略化でき、安価な提供が可能になる。
【００１５】
請求項２のごとく、リップ部Ｐ１の開口幅を半径Ｒとする曲率で形成された回転端部２３を係止部２２の端部に沿って形成し、係止体１に立設支持したボルト２を持って斜めに傾けた一方の係止部２２からチャンネル材Ｐ内部に挿入するときに、他方の係止部２２の回転端部２３がリップ部Ｐ１に沿って回転しながら挿入されるように挟着板２０を構成したことで、チャンネル材Ｐへのボルト２の保持は、係止体１に保持したボルト２を持って操作するだけでリップ部Ｐ１に簡単に装着することができる。このように、装着作業性においても合理化する効果がある。
【００１６】
請求項３のように、ボルト２にネジ止めするナット３を強制的に挟着保持し、前記天板１０の前記挿通孔１１に上から挿通せしめる前記ボルト２を立設状態に保持するように構成したことで、上向きのボルト２の外、下向きのボルト２を保持することも可能になっている。この結果、工事の状況に適した使用が可能になるものである。
【００１７】
請求項４のごとく、挟着板２０の内側面に、前記ボルト２の頭部２Ａ又は前記ナット３に係止する一対の係止突起２４を形成したことで、ボルト２の頭部２Ａ又はナット３を挟着板２０に挟着保持する際の作業が極めて容易になり、作業工程の合理化を図ることができる。
【図面の簡単な説明】
【００１８】
【図１】本発明の一実施例を示す分解斜視図である。
【図２】本発明の装着状態を示す斜視図である。
【図３】本発明の係止体を示す側面図である。
【図４】（イ）乃至（ハ）は本発明の装着手順を示す側面図である。
【図５】（イ）及び（ロ）は本発明の装着手順を示す正面図である。
【図６】本発明の挟着板に保持したボルトの頭部を示す要部断面図である。
【図７】本発明の挟着板にナットを保持する状態を示す分解斜視図である。
【発明を実施するための形態】
【００１９】
本発明によると、チャンネル材の上向きの開口部にボルトを強固に自立させることが可能になり、しかも、従来のような組み立て工程を必要とせず、更に、作業時の合理化を図ることができるなどといった当初の目的を達成した。
【実施例】
【００２０】
以下、本発明の実施例を説明する。本発明ボルト保持具は、リップ溝形鋼を利用したチャンネル材の開口部にボルトを装着し、例えば太陽電池用架台や照明器具などを連結する際に使用するものである。
【００２１】
本発明の基本構成は、断面コ字状の係止体１にボルト２を保持するもので、チャンネル材Ｐの上向きの開口部から内部に係止体１を挿入し、９０度の水平回転でリップ部Ｐ１に装着するものである（図４（イ）〜（ハ）参照）。この係止体１は、金属板が屈曲されたもので、天板１０と一対の挟着板２０とで形成されている（図１参照）。
【００２２】
天板１０には、ボルト２を挿通する挿通孔１１を開穿している（図１参照）。また、天板１０の長手両端部を斜めに切り欠いてリップ部Ｐ１の相互間よりも狭い幅に形成された挿通部１２を設けている（図５（イ）参照）。更に、チャンネル材Ｐ内部に挿入された係止体１の挿通部１２をリップ部Ｐ１の相互間より上まで引き上げて係止体１を９０度回転させたときにリップ部Ｐ１上面に係止する係止部１３が天板１０の長手両端部に形成されている（図５（ロ）参照）。
【００２３】
一方、挟着板２０は、天板１０の挿通孔１１に下から挿通したボルト２の頭部２Ａや（図６参照）、この挿通孔１１に上から挿通するボルト２にネジ止めせしめるナット３を、挟着板２０の内部で挟着保持する部材である（図７参照）。
【００２４】
そのため、挟着板２０の内側面には、ボルト２の頭部２Ａやナット３に係止する一対の係止突起２４を突設している（図６参照）。図示例では、ボルト２の頭部２Ａやナット３の上端部が天板１０の内側に接するように挟着板２０内に挿入すると、これらボルト２の頭部２Ａやナット３の下端部を係止突起２４が係止するものである。また、この係止突起２４は図示例に限らず、ボルト２の頭部２Ａやナット３の側面を強制的に押圧するものやその他の構成など、挟着板２０の挟着保持手段は任意に変更することができる。
【００２５】
更に、この挟着板２０には、回転溝部２１、係止部２２、回転端部２３が設けられている（図３参照）。回転溝部２１は、挟着板２０の天板１０と挟着板２０との境界部分を切り欠いてリップ部Ｐ１上で挿通部１２を回転せしめる間隙である。そして、この回転溝部２１内にリップ部Ｐ１を挿入して係止体１を回転させるものである（図４（ロ）参照）。
【００２６】
係止部２２は、係止体１を９０度水平回転させたときに、リップ部Ｐ１の下端に係止する挟着板２０の長手両端部である（図４（ハ）参照）。更に、この係止部２２の端部に沿って、回転端部２３を設けている（図３参照）。
【００２７】
この回転端部２３は、リップ部Ｐ１の開口幅を半径Ｒとする曲率で形成された係止部２２の曲面部分である（図３参照）。そして、係止体１に立設保持したボルト２を持って斜めに傾けた一方の係止部２２からチャンネル材Ｐ内部に挿入するときに、他方の係止部２２の回転端部２３がリップ部Ｐ１に沿って回転しながら挿入されるように構成したものである（図４（イ）参照）。図示例では、挟着板２０を形成する板体の下端部から係止部２２に至る角部に回転端部２３を形成している。この位置に形成することで、リップ部Ｐ１下方に位置する係止部２２の幅が極力狭くならずに済み、係止強度を高めることができる。また、この回転端部２３に代えて係止部２２が回転しながら入る形状に形成することも可能である。
【００２８】
次に、本発明の使用手順を説明する。まず、本体１の挿通孔１１にボルト２を挿通して挟着板２０にボルト２の頭部２Ａを保持する（図１参照）。次に、このボルト２を持って、一方の係止部２２側から本体１を斜めにした状態でチャンネル材Ｐの開口部に挿入する（図４（イ）参照）。このとき、ボルト２側面がリップ部Ｐ１にあたる位置まで挿入させて、回転端部２３をリップ部Ｐ１に沿って回転させている。
【００２９】
チャンネル材Ｐの内部に本体１を挿入した後、リップ部Ｐ１相互間に天板１０の挿通部１２を合わせて挿入した本体１の天板１０を引き上げる（図５（イ）参照）。そして、天板１０がリップ部Ｐ１の端部よりも上になるようにセットする（図４（ロ）参照）。その状態で水平に９０度回転させると、天板１０の係止部１３がリップ部Ｐ１の上部に係止する（図５（ロ）参照）。このとき、挟着板２０の係止部２２がリップ部Ｐ１の下部に係止するものである（図４（ハ）参照）。この状態に保持されたボルト２に、
例えば太陽電池用架台や照明器具などの各種機材を連結する。
【００３０】
尚、本発明の天板１０や挟着板２０の各構成は図示例に限られるものではなく、本発明の要旨を変更しない範囲の設計変更は任意である。
【産業上の利用可能性】
【００３１】
本発明の実施例において、チャンネル材の上向きの開口部にボルトを強固に自立させるものとして説明しているが、チャンネル材の開口部の向きは、下向きでも横向きでも利用することができる。また、リップ溝形鋼を利用したチャンネル材に装着するものとして説明しているが、用途はこのチャンネル材に限定されるものではなく、同様の構造物であればサイズの変更も任意であり、他の用途に利用することも可能である。
【符号の説明】
【００３２】
Ｐ  チャンネル材
Ｐ１  リップ部
１  係止体
２  ボルト
２Ａ  頭部
３  ナット
１０  天板
１１  挿通孔
１２  挿通部
１３  係止部
２０  挟着板
２１  回転溝部
２２  係止部
２３  回転端部
２４  係止突起
【要約】
【課題】チャンネル材の開口部にボルトを自立させることが可能で、作業工程の合理化を図ることができるチャンネル材用ボルト保持具を提供する。
【解決手段】天板１０と一対の挟着板２０とで断面コ字状の係止体１を形成する。天板１０に挿通孔１１を開穿する。該挿通孔１１に挿通したボルト２を挟着板２０が挟着してボルト２を立設する。天板１０の長手両端部にリップ部Ｐ１の相互間よりも狭い幅に形成された挿通部１２を設ける。係止体１を回転させたときにリップ部Ｐ１上面に係止する係止部１３を天板１０の長手端部に形成する。リップ部Ｐ１上で挿通部１２を回転せしめる回転溝部２１を挟着板２０に形成する。係止体１を回転させたときにリップ部Ｐ１の下端に係止する係止部２２を挟着板２０の長手端部に形成する。
【選択図】  図１【図１】
0005252359.tif 000002
【図２】
0005252359.tif 000003
【図３】
0005252359.tif 000004
【図４】
0005252359.tif 000005
【図５】
0005252359.tif 000006
【図６】
0005252359.tif 000007
【図７】
0005252359.tif 000008